(57)【要約】      （修正有）【課題】内扉の開閉状態に関係なく、結露水の滴下による床面の汚染を防止できる自動販売機における結露水排水構造を提供する。【解決手段】内扉４の表面４Ａ，４Ｂから垂れ落ちる結露水を排水機構へ導く樋部材２０を、内扉４に対して回動自在に取り付ける。そして、内扉４が開状態にあるときは、樋部材２０を結露水を受容し貯留する第１の姿勢をとらせ、内扉４が閉状態にあるときは、樋部材２０を第２の姿勢に回動させ、貯留した結露水を排水機構（１１）へ排出する。この構成により、内扉４の開閉状態に関係なく、内扉４からの結露水の滴下による床面の汚染を防止することができる。【選択図】図１
2007193625.tif 000002
【特許請求の範囲】
【請求項１】
自動販売機の本体の一部を構成する外扉と前記本体内部の冷却機能を有する商品収納庫との間に設置されて前記商品収納庫を開閉する内扉と、前記内扉の下端の全幅に亘って配置され当該内扉の表面から垂れ落ちる結露水を受容する樋部材と、前記本体の下部に設置され前記樋部材に貯留された結露水を排水する排水機構とを備え、
前記樋部材は、前記内扉の下端に対して当該内扉の幅方向に延在する軸芯の周りに回動自在に取り付けられているとともに、
前記樋部材は、前記内扉が開状態のとき前記結露水を貯留する第１の姿勢をとり、前記内扉が閉状態のときは前記第１の姿勢から回動して前記結露水を前記排水機構へ排出する第２の姿勢をとる
ことを特徴とする自動販売機における結露水排水構造。
【請求項２】
前記樋部材は、前記軸芯の周りに揺動自在に取り付けられている
ことを特徴とする請求項１に記載の自動販売機における結露水排水構造。
【請求項３】
前記樋部材は、前記内扉が開状態のとき、当該樋部材の自重で前記第１の姿勢を維持する
ことを特徴とする請求項１に記載の自動販売機における結露水排水構造。
【請求項４】
前記樋部材には、前記内扉の閉操作の際に前記本体の一部に係合することで当該樋部材を前記第２の姿勢へ回動させる係合片が設けられている
ことを特徴とする請求項１に記載の自動販売機における結露水排水構造。
【請求項５】
前記係合片は、前記樋部材の、前記内扉の回動半径外側に相当する一端部に設けられている
ことを特徴とする請求項４に記載の自動販売機における結露水排水構造。
【発明の詳細な説明】
【技術分野】
【０００１】
本発明は、商品収納庫を開閉する内扉を備えた自動販売機に関し、更に詳しくは、内扉の表面から垂れ落ちる結露水の排水機構を備えた自動販売機における結露水排水構造に関する。
【背景技術】
【０００２】
図６は従来の自動販売機の構成の一例を示している。この従来の自動販売機１は、商品を収納した断熱構造の商品収納庫５を内蔵した本体２と、本体２の一部を構成し本体２の正面側に取り付けられた外扉３と、断熱構造の内扉４とを備えている。商品収納庫５は本体２の左右方向に複数列取り付けられており、天井に敷設されたレール（図示略）に沿って本体２の内部から図示するように各列毎に正面側へ引出し自在に構成されている。
【０００３】
商品収納庫５は、ビンや缶、ＰＥＴ（ポリエチレンテレフタレート）ボトル等の容器に入れられた飲料商品Ｄを横向き姿勢で上下方向に沿って直積み収納する複数の商品収納部６を備えている。各商品収納部６には、奥行き方向から商品Ｄを補給可能な商品投入口７が上下方向に沿って設けられている。そして、この商品投入口７を開閉する扉体８が上下方向に延在する軸芯９の周りに揺動自在に取り付けられている。
【０００４】
各商品収納庫５は、収納される商品の種類に応じて冷却庫又は加温庫として機能する。これら商品収納庫５の温度を所定温度以下（又は以上）の温度に保持するため、外扉３と商品収納庫５との間に断熱構造の内扉４を設置して庫外との温度差を確保するようにしている。
【０００５】
ところで、例えば夏季シーズンのように商品収納庫５のほぼ全庫が冷却庫として機能する場合などにおいては、内扉４の表面に空気中の水分が結露しやすくなる。このため、従来の内扉を備えた自動販売機においては、内扉４の表面から垂れ落ちる結露水を本体２の下部に設置された排水機構へ導く樋部材１０が内扉４の下端全幅に亘って取り付けられている（例えば下記特許文献１参照）。
【０００６】
従来の樋部材１０の一構成例を図７Ａに示す。樋部材１０は、内扉４の表面４Ａと一定の隙間を介して固定されている。樋部材１０の底部は斜めに形成されており、商品収納庫５を閉塞する閉状態において内扉４の表面４Ａから垂れ落ちた結露水を排水受け１１に導く。排水受け１１は、商品収納庫５の底壁部１２前端に対して支持具１４を介して取り付けられた長尺の樋状で、本体２の下部に設置された受容タンク（図示略）へ結露水を排出する排水機構の一部として構成されている。なお、商品収納庫５の底壁部１２前端には、内扉４に弾接して商品収納庫５の断熱性を維持するゴム等からなる弾性部材１３が設置されている。
【０００７】
【特許文献１】特開２００２−２４５５２６号公報
【発明の開示】
【発明が解決しようとする課題】
【０００８】
しかしながら、上述した従来の自動販売機における結露水排水構造においては、図７Ａに示したように、内扉４の閉状態においてのみ結露水が排水受け１１に排出される構成となっている。従って、商品収納庫５に対する商品の補給作業時では、図７Ｂに示すように開状態とされた内扉４の表面４Ａから垂れ落ちた結露水が樋部材１０で受容できずに内扉４の下方に滴下してしまい、自動販売機が屋内に設置されている場合では床面が結露水で汚れてしまうという問題がある。
【０００９】
本発明は上述の問題に鑑みてなされ、内扉の開閉状態に関係なく結露水を受容でき、結露水の滴下による床面の汚染を防止できる自動販売機における結露水排水構造を提供することを課題とする。
【課題を解決するための手段】
【００１０】
以上の課題を解決するに当たり、本発明の自動販売機における結露水排水構造は、自動販売機の本体の一部を構成する外扉と前記本体内部の冷却機能を有する商品収納庫との間に設置されて前記商品収納庫を開閉する内扉と、前記内扉の下端の全幅に亘って配置され当該内扉の表面から垂れ落ちる結露水を受容する樋部材と、前記本体の下部に設置され前記樋部材に貯留された結露水を排水する排水機構とを備え、前記樋部材は、前記内扉の下端に対して当該内扉の幅方向に延在する軸芯の周りに回動自在に取り付けられているとともに、前記樋部材は、前記内扉が開状態のとき前記結露水を貯留する第１の姿勢をとり、前記内扉が閉状態のときは前記第１の姿勢から回動して前記結露水を前記排水機構へ排出する第２の姿勢をとることを特徴とする。
【００１１】
本発明において、樋部材は、内扉が開状態のとき内扉の表面から垂れ落ちる結露水を貯留する第１の姿勢をとるので、商品収納庫へ商品を補給する際などの内扉の開状態において、内扉の表面から垂れ落ちる結露水を内扉の下端において確実に受容しかつ貯留することができ、床面が結露水で汚染されることを確実に防止することができる。また、樋部材に貯留された結露水は、内扉が閉状態のときに樋部材が上記第１の姿勢から上記第２の姿勢へ回動することで排水機構へ排出される。
【００１２】
好適には、樋部材は上記軸心の周りに揺動自在に取り付けられ、内扉が開状態のとき、当該樋部材の自重で上記第１の姿勢を維持する。これにより、内扉の開操作と同時に樋部材の姿勢を第１の姿勢に自動的に変換することが可能となる。
【００１３】
また、内扉の閉操作の際に本体の一部に係合し当該樋部材の姿勢を上記第２の姿勢へ回動させる係合片を樋部材に設けることにより、内扉の閉操作の際に樋部材を上記第２の姿勢へ自動的に変換することが可能となる。
【発明の効果】
【００１４】
以上述べたように、本発明の自動販売機における結露水排水構造によれば、内扉の開閉状態に関係なく内扉の表面から垂れ落ちる結露水を確実に受容できるので、床面の結露水による汚染を防止することができる。
【発明を実施するための最良の形態】
【００１５】
以下、本発明の実施の形態について図面を参照して説明する。なお、図において上述の従来例と対応する部分については同一の符号を付している。
【００１６】
図１Ａ〜Ｃは本発明の実施の形態による自動販売機における結露水排水構造及びその作用を説明する要部側面図、図２は内扉４の開状態における内面側の要部斜視図、図３は内扉４の開状態における外面側の要部斜視図、図４は結露水の排水受け１１を示す斜視図、図５は排水受け１１を含む結露水の排水機構を模式的に示す本体２の要部断面図である。
【００１７】
冷却庫として機能する商品収納庫５を開閉する内扉４には、本発明に係る樋部材２０が取り付けられている。樋部材２０は、金属板をプレス加工してなるもので、図２及び図３に示すように内扉４の下端の全幅に亘って延びる樋状を有している。樋部材２０の幅寸法（内扉４の厚さ方向）は、図１Ａに示すように内扉４の厚さ寸法よりも大きく形成されている。
【００１８】
樋部材２０は、内扉４の幅方向に延在する軸部材（軸芯）２１の周りに揺動自在に取り付けられている。樋部材２０は、内扉４の開閉操作に伴って軸部材２１を中心として回動し、内扉４の開状態においては図１Ａに示す第１の姿勢をとり、内扉４の閉状態においては図１Ｃに示す第２の姿勢をとるように構成されている。
【００１９】
樋部材２０が第１の姿勢をとるとき、樋部材２０の底部２０ａは内扉４の下端面と対向することで、樋部材２０の前端部２０ｂ及び後端部２０ｃが内扉４の表面４Ａ，４Ｂよりも外方に張り出す（図１Ａ，図２，図３）。これにより、内扉４の表面４Ａ，４Ｂから垂れ落ちる結露水を樋部材２０で受容しかつ貯留することができる。
【００２０】
本実施の形態では、樋部材２０は、当該樋部材２０の自重によって上記第１の姿勢となる回動位置をとるように構成されている。すなわち、樋部材２０がその長手方向両端部において軸部材２１に懸吊された状態では、軸部材２０は図１Ａ，図２及び図３に示したような第１の姿勢を維持する。
【００２１】
一方、樋部材２０が第２の姿勢をとるとき、樋部材２０は前方側（図１Ａにおいて時計方向）に回動し、その後端部２０ｃが底部２０ａよりも低い位置をとる（図１Ｃ）。このため、樋部材２０に貯留された結露水が後端部２０ｃを介して下方の排水受け１１へ排出されるようになっている。また、この第２の姿勢において、樋部材２０の底部２０ａは内扉４の表面４Ａと所定の間隔をあけて対向し、内扉４の閉状態において表面４Ａから垂れ落ちる結露水を当該第２の姿勢をとる樋部材２０を介して排水受け１１へ排出する。
【００２２】
第１の姿勢から第２の姿勢への姿勢変換は、樋部材２０に取り付けられた係合片２２と排水受け１１との係合作用によって行われる。係合片２２は、図２に示すように、樋部材２０の一端側、特に内扉４の回動半径外側に相当する一側端に設けられており、内扉４の開閉操作の際に図１Ｂ，Ｃに示すように排水受け１１との係合作用で樋部材２０を第１，第２の姿勢間に亘って所定角度回動させる。
【００２３】
以上のような構成により、内扉４が開操作されたとき樋部材２０は自動的に図１Ａに示す第１の姿勢をとり、内扉４が閉操作されたとき樋部材２０は自動的に図１Ｃに示す第２の姿勢に変換される。
【００２４】
排水受け１１は、商品収納庫５の底壁１２の前端において支持具１４を介して取り付けられており、樋部材２０の延在長に対応して内扉４の全幅に亘って延設されている。底壁部１２の前端部には、内扉４に弾接して商品収納庫５の断熱性を維持するゴム等からなる弾性部材１３が設置されている。
【００２５】
図４に示すように排水受け１１は切込み１５で分断されている。分断された各排水受け１１は切込み１５に向かって所定角度傾斜して配置されている。切込み１５の下方には断面Ｖ字状のガイド部材１６が排水受け１１の延在方向と直交する向きに設置されている。ガイド部材１６は、図３に示すように開口２４内に挿通され、図５に示すように商品収納庫５の下部に設置された受容タンク１７に向けて傾斜配置されている。受容タンク１７に受容された結露水は、例えば庫内冷却用の熱交換器からの放出熱を利用したり蒸発用の布材に浸透することで強制的に蒸発されるようになっている。これら、排水受け１１、ガイド部材１６及び受容タンク１７等によって本発明に係る排水機構が構成されている。
【００２６】
本実施の形態の自動販売機における結露水排水構造は以上のように構成される。なお、図２において符号１８は、商品収納庫５から排出された商品を外扉３の商品取出し口に案内する樹脂製の小扉を備えた角穴である。上記小扉は通常時には内扉４の内外を仕切っており、商品排出時には外側に開いて商品を商品取出し口へ導く。また、符号１９は、外扉３の開放位置を規定するストッパである。
【００２７】
本実施の形態の自動販売機における結露水排水構造においては、図１Ｃに示すように内扉４が商品収納庫５を密閉する閉状態にあるとき、樋部材２０は第２の姿勢をとることで内扉４の表面４Ａから垂れ落ちる結露水を当該樋部材２０を介して排水受け１１へ排出する。
【００２８】
また、例えば商品収納庫５内へ商品Ｄを補給する際は、図１Ａに示すように内扉４が開放される。内扉４の開操作に伴って、樋部材２０は、係合片２２と排水受け１１との間の係合が解除されることで自重により第１の姿勢位置に回動する。樋部材２０が第１の姿勢をとることにより、内扉４の表面４Ａ，４Ｂから垂れ落ちる結露水は樋部材２０で受容されるとともに樋部材２０内に貯留される。これにより、内扉４からの結露水の滴下を防止でき、床面が結露水で汚されることはない。
【００２９】
一方、商品収納庫５への商品の補給の完了後、内扉４が閉操作されると、樋部材２０の係合片が本体２側の排水受け１１と当接、係合することにより、樋部材２０が図１Ｃに示すように時計方向に回動して第２の姿勢に変換される。これにより、樋部材２０に貯留された結露水が排水受け１１に向けて排出される。
【００３０】
また、係合片２２が樋部材２０の一端（内扉４の回動半径外側に相当する一端）側に設けられているので、内扉４が商品収納庫５を閉塞する直前位置で樋部材２０を第２の姿勢に変換させることが可能となり、これにより内扉４の閉操作途中で樋部材２０から結露水が排出されることを防止することができる。
【００３１】
排水受け１１に排出された結露水は、排水受け１１の傾斜に沿って流れて切込み１５からガイド部材１６へ至り、次いでガイド部材１６から受容タンク１７内に排出される。
【００３２】
以上のように、本実施の形態によれば、内扉４の開閉状態に関係なく結露水を確実に排水経路へ導くことができる。これにより、当該自動販売機が設置される周囲の床面の結露水による汚染を防止することができる。このような効果は、特に当該自動販売機が屋内に設置される場合に特に有利である。
【００３３】
以上、本発明の実施の形態について説明したが、勿論、本発明はこれに限定されることなく、本発明の技術的思想に基づいて種々の変形が可能である。
【００３４】
例えば以上の実施の形態では、樋部材２０を図１Ａに示す第１の姿勢に変換するのに、当該樋部材２０の自重を利用するようにしたが、これに加えて、例えば回動軸となる軸部材２１の周りにトーションバネを設置しこのバネの付勢力を利用して樋部材２０を第１の姿勢に回動させるようにしてもよい。
【図面の簡単な説明】
【００３５】
【図１】本発明の実施の形態による自動販売機の結露水排水構造の構成及び作用を示す要部側面図である。
【図２】内扉４の開状態における内面側の要部斜視図である。
【図３】内扉４の開状態における外面側の要部斜視図である。
【図４】結露水の排水受け１１を示す斜視図である。
【図５】結露水の排水機構を模式的に示す本体２の要部断面図である。
【図６】従来の自動販売機の内扉開状態を示す全体斜視図である。
【図７】従来の結露水排水構造を説明する図である。
【符号の説明】
【００３６】
２  本体
３  外扉
４  内扉
５  商品収納庫
１１  排水受け
１３  弾性部材
１４  支持具
１５  切込み
１６  ガイド部材
１７  受容タンク
２０  樋部材
２１  軸部材
２２  係合片
【図１】
2007193625.tif 000003
【図２】
2007193625.tif 000004
【図３】
2007193625.tif 000005
【図４】
2007193625.tif 000006
【図５】
2007193625.tif 000007
【図６】
2007193625.tif 000008
【図７】
2007193625.tif 000009